(57)【要約】      （修正有）【課題】ベッド面の高度が低下したことで、テント内での使用時にも、ベッドと天井との間の距離を拡大可能で、圧迫感を感じることがない折畳み式ベッドフレームを提供する。【解決手段】一定方式に排列する交差サポート棒組１を備え、隣接する交差サポート棒組１の両端頂点部は上モジュール２により相互に可動接続し、両端底部は下モジュール３により相互に可動接続し、隣接する各交差サポート棒組１の先端には上方へと延伸する連接棒４等を設置し、縦方向の各連接棒４等の先端は、連接部品によりベッド面棒５と可動連接する。また、上、下モジュール２、３の間には縦棒を設置しないため、展開後の各交差サポート棒組１の高度を最大限に低下させることができ、さらにベッドフレームの頂点部に延伸する連接棒４等はベッド面棒５の高度を上げることができ、ベッド布が下垂可能な空間は確保され、ベッドの正常な使用を可能とする。【選択図】図１
0003148347.tif 000002
【実用新案登録請求の範囲】
【請求項１】
一定方式に排列する交差サポート棒組を備えた折畳み式ベッドフレームであって、
隣接する前記交差サポート棒組の両端頂点部は上モジュールにより相互に可動接続し、両端底部は下モジュールにより相互に可動接続し、
相互に隣接する前記各交差サポート棒組の先端には上方へと延伸する連接棒を設置し、縦方向の前記各連接棒の先端は、連接部品によりベッド面棒と可動連接することを特徴とする折畳み式ベッドフレーム。
【請求項２】
前記交差サポート棒組には、縦方向に平行な五組の交差サポート棒組を設置し、前記各組の両端の間には一組の交差サポート棒組をそれぞれ連接し、これにより長方形構造を構成することを特徴とする請求項１に記載の折畳み式ベッドフレーム。
【請求項３】
前記各連接棒は斜め外側へと延伸されることを特徴とする請求項１または請求項２に記載の折畳み式ベッドフレーム。
【請求項４】
前記連接棒の連接部品はＣ型係合溝であることを特徴とする請求項１または請求項２に記載の折畳み式ベッドフレーム。
【請求項５】
前記連接棒は対応して交差するサポート棒組の棒部品の延伸部分に固定して設置されることを特徴とする請求項１または請求項２に記載の折畳み式ベッドフレーム。
【請求項６】
前記連接棒は前記上モジュール上に固定して設置されることを特徴とする請求項１または請求項２に記載の折畳み式ベッドフレーム。
【請求項７】
前記連接棒は一体構造で、頂点部にはＣ型係合溝を設置し、底部には連接部を設置し、前記連接部と対応して交差するサポート棒組の棒部品の延伸部分が相互に連接し、しかも前記連接部と前記連接棒の本体部分は一定の角度を呈することを特徴とする請求項１または請求項２に記載の折畳み式ベッドフレーム。
【請求項８】
前記連接棒の頂点部にはＣ型係合溝を設置し、底部には連接部を連接し、前記連接部は湾曲屈折形態を呈し、一端は前記連接棒と連接し、他端は対応して前記交差するサポート棒組の棒部品の延伸部分と連接することを特徴とする請求項１または請求項２に記載の折畳み式ベッドフレーム。
【請求項９】
前記ベッド面棒は若干の短棒が連接して構成されるか、または伸縮嵌合棒であることを特徴とする請求項１または請求項２に記載の折畳み式ベッドフレーム。
【考案の詳細な説明】
【技術分野】
【０００１】
本考案はベッドに係り、特に折畳み式ベッドフレームに関する。
【背景技術】
【０００２】
従来の技術において、折畳み式ベッドフレームの典型的な構造は、若干組の交差サポート棒組を排列して構成し、該各組交差サポート棒組の上方に、少なくとも二本の横棒を固定し、これによりベッド布を固定するものである。該交差サポート棒組の二本の交差棒両端の間は、縦棒により支え、これにより該各棒組を一定の高度に支え、このようにして、ベッドフレームはベッドの高さを備える。折畳みのため、これら縦棒は一般的には伸縮可能な内外嵌合棒である。
【０００３】
しかし、折畳みベッドをテント内で使用する場合には、テントの天井と近くなり過ぎ、使用者は圧迫感を感じ、快適な使用感を得ることはできない。なぜなら、テントはキャンパーにとっては野外での臨時の住処であるため、その体積及び内部空間は通常は小さく、普通の高度を備える折畳みベッドは不適切であるためである。
【０００４】
これに対して、折畳みベッドの高度を低下させ、不快な使用感の改善が試みられている。先ずは、縦棒を短くし、これによりベッドフレーム高度を低下させる方式が考案されたが、縦棒は伸縮可能な嵌合棒であるため、ベッドフレームの折畳みには必要な縦棒の長さがある。よって、縦棒を短くし、ベッドフレームの高度を大幅に低下させることはできない。
【０００５】
一方、縦棒を設置せず、ベッドフレームの展開時に、該各組交差サポート棒組の上下モジュールを直接接触させ、最大限にベッドの高度を低下させる方式も考えられる。しかしこの場合、ベッド布の固定後、ベッド布が下垂する空間がないため、ベッド布は該各棒組と直接接触し、正常な使用は不可能である。
【考案の開示】
【考案が解決しようとする課題】
【０００６】
そこで、本考案は、従来の折畳み式ベッドの上記した欠点に鑑みてなされたものである。すなわち、本考案が解決しようとする主要な課題は、ベッドの高度を効果的に低下させつつ、正常な使用が可能な折畳み式ベッドフレームを提供することである。
【課題を解決するための手段】
【０００７】
上記課題を解決するため、本考案の折畳み式ベッドフレームは若干組の一定方式に排列する交差サポート棒組を備え、隣接する該交差サポート棒組の両端頂点部は上モジュールにより相互に可動接続し、両端底部は下モジュールにより相互に可動接続し、相互に隣接する各交差サポート棒組先端には上方へと延伸する連接棒を設置し、縦方向の各連接棒の先端は、連接部品によりベッド面棒と可動連接する。
【０００８】
ここでは、該若干組の交差サポート棒組には縦方向に平行な五組の交差サポート棒組を設置し、該各組の両端の間には一組の交差サポート棒組をそれぞれ連接し、これにより長方形構造を構成する。
【０００９】
ここでは、該各連接棒は斜め外側へと延伸し、該連接棒の連接部品はＣ型係合溝で、該連接棒は対応し交差するサポート棒組の棒部品の延伸部分に固定して設置し、該連接棒は上モジュール上に固定して設置する。
【００１０】
ここでは、該連接棒は一体構造で、頂点部にはＣ型係合溝を設置し、底部には連接部を設置し、該連接部と対応し交差するサポート棒組の棒部品の延伸部分と相互に連接し、しかも該連接部と連接棒の本体部分は一定の角度を呈する。
【００１１】
ここでは、該連接棒の頂点部にはＣ型係合溝を設置し、底部分には連接部を連接し、該連接部は湾曲屈折形態で、一端は連接棒と連接し、反対端は対応し交差するサポート棒組の棒部品の延伸部分と連接する。
【００１２】
ここでは、該ベッド面棒は若干の短棒が連接して構成し、或いは伸縮嵌合棒である。
【００１３】
また、本考案の一実施形態による折畳み式ベッドフレームは、上、下モジュールの間に縦棒を設置しないため、展開後の各交差サポート棒組の高度を最大限に低下させることができ、さらにベッドフレーム頂点部に延伸する連接棒は、ベッド面棒の高度を上げることができ、ベッド布が下垂可能な空間は確保され、ベッドの正常な使用を可能とする。
【考案の効果】
【００１４】
本考案の折畳み式ベッドフレームは、ベッドの高度を効果的に低下させながら、正常な使用を可能とし、テント内での使用時にも、ベッドと天井との間の距離を拡大可能であるため、使用者は圧迫感を感じることがないという効果を奏する。
【考案を実施するための最良の形態】
【００１５】
以下に図面を参照しながら本考案を実施するための最良の形態について詳細に説明する。
【００１６】
図１に示すように、本考案の一実施形態による折畳み式ベッドフレームは、若干組の一定方式に排列し長方形を呈する交差サポート棒組１を備える。
【００１７】
この実施形態では、縦方向に平行な五組の交差サポート棒組を設置し、各組の両端の間にはさらに一組の交差サポート棒組をそれぞれ連接する。隣接する交差サポート棒組１の両端頂点部において、上モジュール２により相互に可動接続し、両端底部は下モジュール３により相互に可動接続する。
【００１８】
相互に隣接する各交差サポート棒組１の先端には、上方へと延伸する連接棒４を設置し、各連接棒４は斜め外側へと延伸し、縦方向の各連接棒４の先端は、連接部品によりベッド面棒５と可動連接する。連接部品はＣ型係合溝４１で、各ベッド面棒５は一本の棒により構成し、または若干の短棒を連接し構成し、或いは伸縮嵌合棒である。
【００１９】
折畳み式ベッドフレームの展開時には、図１に示すように、すべての交差サポート棒組１を開き、対応する上、下モジュール２、３を一緒にする。次に、ベッド面棒５を相同側の連接棒４頂点部のＣ型係合溝４１上に係合させ、さらにベッド布（図示せず）を両側のベッド面棒５上に固定し、折畳みベッドを完成する。
【００２０】
折畳みベッドは、上下モジュール２、３の間に縦棒を設置しないため、展開後の各交差サポート棒組１の高度を最大限に低下させることができ、さらにベッドフレーム頂点部に延伸する連接棒４は、ベッド面棒５の高度を上げることができる。よって、ベッド布が下垂可能な空間は確保され、ベッドの正常な使用を可能とする。
【００２１】
折畳み式ベッドフレームの折畳み時には、図２に示すように、先ず、各ベッド面棒５を連接棒４上から取り外し、次に、各組交差サポート棒組１を上方へと折畳み、図３に示すように、各組交差サポート棒組１を継続して近付かせ、図４に示す状態まで、完全に寄せ、折畳みを完成する。
【００２２】
連接棒４は多種の構造及び連接方式とすることができ、図５に示す実施形態はその内の一種である。連接棒４は一体構造で、頂点部にはＣ型係合溝４１を設置し、底部には連接部４２を設置する。連接部４２と対応して交差するサポート棒組１の棒部品の延伸部分は相互に連接し、しかも連接部４２と連接棒４の本体部分は一定の角度を呈し、これにより連接棒４は斜め上へと延伸する状態を呈する。
【００２３】
図６には、本考案一実施形態による折畳み式ベッドフレームの連接棒の別種の連接方式を示す。連接棒４’の頂点部には、Ｃ型係合溝４１’を設置し、底部分には連接部４２’を連接する。
【００２４】
連接部４２’は湾曲屈折形態で、一端は連接棒４’と連接し、反対端は対応し交差するサポート棒組１の棒部品の延伸部分と連接する。連接部４２’は湾曲屈折形態であるため、連接棒４’は斜め上へと延伸する状態を呈する。連接棒は上モジュールに連接することも可能である。
【図面の簡単な説明】
【００２５】
【図１】本考案の折畳み式ベッドフレームの展開状態の立体外観図
【図２】本考案の折畳み式ベッドフレームのベッド面棒を伴わない展開状態の模式図
【図３】本考案の折畳み式ベッドフレームの折畳みかけた状態の模式図
【図４】本考案の折畳み式ベッドフレームの完全に折畳んだ状態の模式図
【図５】図２中Ａ部分の連接方式一を示す模式図
【図６】図２中Ａ部分の連接方式二を示す模式図
【符号の説明】
【００２６】
１      交差サポート棒組
２      上モジュール
３      下モジュール
４      連接棒
４’    連接棒
４１    Ｃ型係合溝
４１’  Ｃ型係合溝
４２    連接部
４２’  連接部
５      ベッド面棒
【図１】
0003148347.tif 000003
【図２】
0003148347.tif 000004
【図３】
0003148347.tif 000005
【図４】
0003148347.tif 000006
【図５】
0003148347.tif 000007
【図６】
0003148347.tif 000008